(57)【要約】【課題】一対のハンドルを小さく開閉するだけで被作用物に作用させることができる手動工具を提供する。【解決手段】被作用物を支持するための支持空間を有する支持体と該支持体に対して移動可能に取り付けられる移動体と該移動体に対して回転可能に軸止めされる梃子体とを有し、移動体の先端が被作用物に作用する手動工具において、支持体に梃子体の回転の支点となる一対の支軸を設け、梃子体を接触している支軸を支点として回転させることによって移動体を支持空間内を進退するように移動させ、梃子体の回転に伴って支持空間内を移動する移動体の先端が該支持空間内の所定位置を通過する際に、梃子体の回転の支点となる支軸が交互に切り換わるようにする。【選択図】  図１
2014180697.tif 000002
【特許請求の範囲】
【請求項１】
被作用物を支持するための支持空間を有する支持体と該支持体に対して移動可能に取り付けられる移動体と該移動体に対して回転可能に軸止めされる梃子体とを有し、移動体の先端が被作用物に作用する手動工具において、支持体には梃子体の回転の支点となる一対の支軸が設置されており、梃子体が接触している支軸を支点として回転することによって移動体が支持空間内を進退するように移動し、梃子体の回転に伴って支持空間内を移動する移動体の先端が該支持空間内の所定位置を通過する際に、梃子体の回転の支点となる支軸が交互に切り換わることを特徴とする手動工具。
【請求項２】
梃子体の回転に伴って支持空間内へ進出する移動体の先端が被作用物に作用する前に該支持空間内の所定位置を通過する請求項１記載の手動工具。
【請求項３】
移動体に対する梃子体の回転軸と両支軸とが直線上に位置付けられた際に、移動体に対する梃子体の回転軸に対して近くに配置された一方の支軸を支点として梃子体を回転させることによって移動体の先端が被作用物に作用する請求項１又は２のいずれかに記載の手動工具。
【請求項４】
移動体の先端が被作用物に作用している過程で移動体に対する梃子体の回転軸が一方の支軸に最接近する請求項３記載の手動工具。
【請求項５】
移動体の先端に刃先が形成されており、移動体の刃先によって被作用物に穴を開ける請求項１乃至４のいずれかに記載の手動工具。
【請求項６】
移動体の先端に押型面が形成されており、移動体の押型面によって被作用物を変形させる請求項１乃至４のいずれかに記載の手動工具。
【請求項７】
移動体の先端に被作用物に取り付けられる取付物が保持される保持端が形成されており、移動体の保持端によって被作用物に取付物を取り付ける請求項１乃至４のいずれかに記載の手動工具。
【請求項８】
移動体の先端に一方の挟持端が形成されており、支持体に移動体の一方の挟持端と対向する他方の挟持端が形成されており、移動体の一方の挟持端によって被作用物を他方の挟持端に押し付けて挟持する請求項１乃至４のいずれかに記載の手動工具。
【発明の詳細な説明】
【技術分野】
【０００１】
本発明は、手動工具に関するものである。
【背景技術】
【０００２】
周知のとおり、天井や壁の下地として使用される金属製の角材１００（被作用物）は、図１８に示すように断面コの字形であり、電力や電話、LAN等の配線を通すためには、両側壁１０１間の底壁１０２に対して加工を施す必要がある。この加工は非常に難しいため、現場に持ち込む前に予め希望通りに加工を施しておくことが好ましいが、現場に持ち込んで実際に設置しなければどの部分を加工すればよいのか判明しない事態が多く、このため、現場において金属製角材を容易に加工できる特殊な手動工具が多数開発されている。
【０００３】
例えば、後出特許文献１には、断面コの字形に形成された金属形材における頂壁又は側壁への穿孔工具であって、ほぼ平行に配置された左右一対の第１ハンドル及び第２ハンドルと、これら両ハンドルの先端部を枢軸を介して連結させてある穿孔具本体と、該穿孔具本体に形成された形材受入空間を挟んで上下に対向配置されている雌雄一対の穿孔治具とからなり、前記穿孔具本体は、穿孔対象形材の対向側壁の高さよりも大きい高さを備えていて、かつ、幅方向の一側から他側方に向かってコの字形に切り込まれた形材受入空間を備え、また、形材受入空間を形成する上下方向の対向壁の一方の壁部に前記穿孔治具の雌雄何れか片方の治具が、他方の壁部に雌雄何れか他方の治具が、それぞれ空間側に向かって出退自在に配置され、更に、該形材受入空間の切り込み側とは反対側の外周壁又はその近く部分に、ガイドローラ案内曲面とその上下端に形成されたガイドローラ固定部とを備え、前記第１ハンドルは、コイルスプリングにより前記固定用枢軸方向に常時牽引され、同枢軸を支点として揺動回転するとき前記ガイドローラ案内曲面と接しながら上下方向に移動するガイドローラと、該ガイドローラの枢支ピンまたはその近傍箇所に下端部が軸架され、上端部が雌雄何れか一方の前記穿孔治具の上部に連結された連絡レバーとを備え、前記第２ハンドルは、前記固定用枢軸の先端側部分と雌雄何れか他方の前記穿孔治具の下部との間に枢支ピンを介して連結された連結レバーとを備えた構造とされている金属形材への穿孔工具が開示されている。
【０００４】
また、後出特許文献２には、壁や天井の裏面に下地として設置される断面略コ字状の下地材に貫通孔を穿孔する穿孔工具であって、保持ハンドルを備えた本体と、この本体に設けられた筒刃と、この筒刃に挿入すべく進退操作可能に設けられた穿孔刃とを有し、前記穿孔刃は、前記本体に軸支された可動ハンドルと、前記保持ハンドルとを互いに近接離反させることで進退操作され、可動ハンドルの可動軸を穿孔刃の進退方向と略平行にスライドさせると共に、穿孔刃の筒刃への距離が、穿孔可能な近接させた位置と、下地材を穿孔刃と筒刃との間に入れるために離して空けた位置との間を、スライドさせることができるガイド溝を有する穿孔工具が開示されている。
【先行技術文献】
【特許文献】
【０００５】
【特許文献１】特開２００８−２６００３９号公報
【特許文献２】特開２００９−２７４０８３号公報
【発明の概要】
【発明が解決しようとする課題】
【０００６】
ところが、前記特許文献１に開示された穿孔工具においては、形材受入空間から雌雄一対の穿孔治具を退避させるため、第１ハンドル及び第２ハンドルを約１８０度開く必要があり、壁際の天井など作業スペースが狭い場所に設置された金属製角材に対して穴開け作業を行なうことが非常に困難であるという問題点があった。
【０００７】
また、前記特許文献２に開示された穿孔工具においては、筒刃と穿孔刃との間に下地材を入れるため、保持ハンドル及び可動ハンドルを約９０度開き、かつ、可動ハンドルをガイド溝に沿ってスライドさせる必要があり、穴開け作業時にハンドルの開閉操作とスライド操作とを行なわなければならず、ハンドル操作が二段階となって作業効率が非常に悪いという問題点があった。
【０００８】
なお、前記各特許文献に開示された穿孔工具は、いずれも金属製角材に対して穴開け加工を施すためのものであるが、金属製角材に他の加工を施すための手動工具や金属製角材を挟持するための手動工具などにおいても、前記各特許文献に開示された穿孔工具が有する問題点と同様の問題点を有していると言える。
【０００９】
そこで、本発明者は、一対のハンドルを小さく開閉するだけで被作用物に作用させることができる手動工具を得ることを技術的課題として、その具現化をはかるべく、試行錯誤的に試作・実験を重ねた結果、被作用物を支持するための支持空間を有する支持体と該支持体に対して移動可能に取り付けられる移動体と該移動体に対して回転可能に軸止めされる梃子体とを有し、移動体の先端が被作用物に作用する手動工具において、支持体に梃子体の回転の支点となる一対の支軸を設け、梃子体を接触している支軸を支点として回転させることによって移動体を支持空間内を進退するように移動させ、梃子体の回転に伴って支持空間内を移動する移動体の先端が該支持空間内の所定位置を通過する際に、梃子体の回転の支点となる支軸が交互に切り換わるようにすれば、梃子体に設けられた操作ハンドルと支持体に設けられた支持ハンドルとを小さく開閉するだけで移動体の先端を被作用物に作用させることができるという刮目すべき知見を得、前記技術的課題を達成したものである。
【課題を解決するための手段】
【００１０】
前記技術的課題は、次の通りの本発明によって解決できる。
【００１１】
すなわち、本発明の請求項１に係る手動工具は、被作用物を支持するための支持空間を有する支持体と該支持体に対して移動可能に取り付けられる移動体と該移動体に対して回転可能に軸止めされる梃子体とを有し、移動体の先端が被作用物に作用する手動工具において、支持体には梃子体の回転の支点となる一対の支軸が設置されており、梃子体が接触している支軸を支点として回転することによって移動体が支持空間内を進退するように移動し、梃子体の回転に伴って支持空間内を移動する移動体の先端が該支持空間内の所定位置を通過する際に、梃子体の回転の支点となる支軸が交互に切り換わるものである。
【００１２】
また、本発明の請求項２に係る手動工具は、前記請求項１に係る手動工具において、梃子体の回転に伴って支持空間内へ進出する移動体の先端が被作用物に作用する前に該支持空間内の所定位置を通過するものである。
【００１３】
また、本発明の請求項３に係る手動工具は、前記請求項１又は２のいずれかの手動工具において、移動体に対する梃子体の回転軸と両支軸とが直線上に位置付けられた際に、移動体に対する梃子体の回転軸に対して近くに配置された一方の支軸を支点として梃子体を回転させることによって移動体の先端が被作用物に作用するものである。
【００１４】
また、本発明の請求項４に係る手動工具は、前記請求項３の手動工具において、移動体の先端が被作用物に作用している過程で移動体に対する梃子体の回転軸が一方の支軸に最接近するものである。
【００１５】
また、本発明の請求項５に係る手動工具は、前記請求項１乃至４のいずれかの手動工具において、移動体の先端に刃先が形成されており、移動体の刃先によって被作用物に穴を開けるものである。
【００１６】
また、本発明の請求項６に係る手動工具は、前記請求項１乃至４のいずれかの手動工具において、移動体の先端に押型面が形成されており、移動体の押型面によって被作用物を変形させるものである。
【００１７】
また、本発明の請求項７に係る手動工具は、前記請求項１乃至４のいずれかの手動工具において、移動体の先端に被作用物に取り付けられる取付物が保持される保持端が形成されており、移動体の保持端によって被作用物に取付物を取り付けるものである。
【００１８】
また、本発明の請求項８に係る手動工具は、前記請求項１乃至４のいずれかの手動工具において、移動体の先端に一方の挟持端が形成されており、支持体に移動体の一方の挟持端と対向する他方の挟持端が形成されており、移動体の一方の挟持端によって被作用物を他方の挟持端に押し付けて挟持するものである。
【発明の効果】
【００１９】
本発明によれば、移動体に対して回転可能に軸止めされた梃子体の支点となる支軸を二つ設け、梃子体の回転に伴って支持空間内を移動する移動体の先端が該支持空間内の所定位置を通過する際に、梃子体の回転の支点となる支軸が切り換わるようにしたので、梃子体の移動体に対する回転軸と両支軸とが直線上に位置付けられた状態において該回転軸に対して遠くに位置する支軸を支点として梃子体を回転させることにより、梃子体に設けられたハンドルと支持体に設けられたハンドルを小さく開閉するだけで支持空間に対して移動体を大きく進退させることができ、これにより、被作用物に移動体の先端を作用させるために必要となる両ハンドルの開閉角度を小さく設定することができる。
【００２０】
また、梃子体の回転に伴って支持空間内を移動する移動体の先端が該支持空間に支持された被作用物に作用する前に、梃子体の回転の支点となる支軸が切り換わるようにすれば、梃子体の移動体に対する回転軸と両支軸とが直線上に位置付けられた状態において該回転軸に対して近く位置する支軸を支点として梃子体を回転させることによって移動体が被作用物に作用するため、これにより、梃子体の支点（支軸）と力点（移動体に対する梃子体の回転軸）とが接近し、梃子体に設けられた操作ハンドルに加える力を効率良く移動体に伝えることができる。
【００２１】
さらに、移動体の先端が被作用物に作用している過程で移動体に対する梃子体の回転軸が支軸に最接近するようにすれば、移動体の先端が被作用物に作用して最も力が必要となる時に、梃子体に設けられた操作ハンドルに加える力を最も効率良く移動体に伝えることができる。
【００２２】
従って、本発明の産業上利用性は非常に高いといえる。
【図面の簡単な説明】
【００２３】
【図１】実施の形態１に係る手動工具を示した斜視図である。
【図２】図１に示す手動工具の両ハンドル部を開いた状態を示した一部省略側面図である。
【図３】図１に示す手動工具の両ハンドル部を閉じた状態を示した一部省略側面図である。
【図４】図２に示す手動工具の断面図である。
【図５】実施の形態１に係る手動工具の動作を説明した一部省略部分断面図である。
【図６】実施の形態１に係る手動工具の動作を説明した一部省略部分断面図である。
【図７】実施の形態１に係る手動工具の動作を説明した一部省略部分断面図である。
【図８】実施の形態１に係る手動工具の動作を説明した一部省略部分断面図である。
【図９】実施の形態１に係る手動工具の動作を説明した一部省略部分断面図である。
【図１０】実施の形態１に係る手動工具の動作を説明した一部省略部分断面図である。
【図１１】梃子体の移動体に対する回転軸と両支軸との位置関係を示した模式図である。
【図１２】実施の形態２に係る手動工具を説明した一部省略部分断面図である。
【図１３】実施の形態３に係る手動工具を説明した一部省略部分断面図である。
【図１４】実施の形態４に係る手動工具を説明した一部省略部分断面図である。
【図１５】実施の形態５に係る手動工具を説明した一部省略部分断面図である。
【図１６】実施の形態４に係る取付物を示した斜視図である。
【図１７】実施の形態６に係る手動工具を説明した一部省略部分断面図である。
【図１８】金属製角材（被作用物）を示した一部省略断面図である。
【発明を実施するための形態】
【００２４】
以下、本発明の実施の形態を説明する。
【００２５】
実施の形態１．
【００２６】
本実施の形態に係る手動工具１は、図１〜図４に示すように、被作用物を支持する支持体２と、支持体２に対して移動可能に取り付けられる移動体３と、移動体３に対して回転可能に軸止めされる梃子体４とを有している。そして、支持体２に設けられた支持ハンドル５と梃子体４に設けられた操作ハンドル６とを開閉することによって支持体２に支持された被作用物に穴を開けることができるようになっている。
【００２７】
支持体２は、図２及び図３に示すように、被作用物を支持する支持空間７を有する支持部８と該支持部８から伸びる支持ハンドル５とから構成されている。支持部８は、支持ハンドル５の軸線上に伸びる偏平部９を有しており、偏平部９の先端側（支持ハンドル５に対して遠い側）から支持ハンドル５の軸線に対して略垂直方向へ突出した一方の支持片１０と、偏平部９の元端側（支持ハンドル５に対して近い側）から支持ハンドル５の軸線に対して略垂直方向へ突出した他方の支持片１１とが平行に位置付けられており、これにより、偏平部９及び両支持片１０，１１によって囲まれた側面視略コ字状の支持空間７が形成されている。なお、偏平部９の支持空間７を構成する面から支持空間７に収納された被作用物を位置決めするための突起１２が突出している。
【００２８】
一方の支持片１０は、図４に示すように、円筒状に形成されており、偏平部９に対する突出方向に対して垂直に伸びる貫通孔１３が形成されている。また、他方の支持片１１は、一方の支持片１０と対向する円筒部１４から該一方の支持片１０とは反対方向にガイド部１５が伸びており、偏平部９に対する突出方向に対して垂直に伸びる貫通孔１６が円筒部１４及びガイド部１５を貫くように形成されている。そして、両支持片１０，１１に形成された貫通孔１３，１６は、両支持片１０，１１の間に設けられた支持空間７を挟んで同軸上に位置付けられている。なお、一方の支持片１０に形成された貫通孔１３には、支持空間７側の開口に被作用物に開ける穴の外形と同一形状の内形を有するダイス１７が差し込まれている。また、他方の支持片１１には、図２及び図３に示すように、ガイド部１５における偏平部９の偏平面１８に続く面に貫通孔１６に沿って開口するガイド孔１９が該偏平部９に対する両支持片１０，１１の突出方向及び該支持片１０，１１を貫く貫通孔１３，１６の貫通方向に対して垂直な方向へと開口している。
【００２９】
また、支持部８には、偏平部９の両偏平面１８，１８から第一支軸２０及び第二支軸２１（一対の支軸）が該偏平部９に対する両支持片１０，１１の突出方向及び該支持片１０，１１を貫く貫通孔１３，１６の貫通方向に対して垂直な方向へと突出しており、第一支軸２０は、偏平面１８における偏平部９とガイド部１５との境界に跨る位置から突出しており、第二支軸２１は、偏平面１８における支持ハンドル５の付け根付近から突出している。
【００３０】
移動体３は、図４に示すように、他方の支持片１１に形成された貫通孔１６に対して移動可能に通されており、長尺状の軸部２２と該軸部２２の先端に取り付けられる刃先部２３とから構成されている。軸部２２は、他方の支持片１１におけるガイド部１５の貫通孔１６に差し込まれてガイド孔１９から一部を覗かせている。また、刃先部２３には、円柱状部材の一方の支持片１０に対向する面をＵ字状に切断してなる刃先２４が形成されている。従って、移動体３の先端に刃先２４が位置付けられる。なお、刃先部２３は、刃先部２３の軸部２２と対向する面に形成された嵌合凹部２５に軸部２２の先端を挿入し、刃先部２３の側面から締付ネジ（図示せず）を差し込むことによって軸部２２の先端に固定されている。従って、刃先部２３の側面から締付ネジを取り外すことにより、軸部２２に対して刃先部２３を容易に交換することができる。
【００３１】
梃子体４は、図２及び図３に示すように、支持部８を挟むように両側に配置された一対の梃子部２６，２６と該一対の梃子部２６，２６にネジ止めされる操作ハンドル６とから構成されている。一対の梃子部２６，２６は、支持ハンドル５の軸線に対して交差するように配置されており、一対の梃子部２６，２６の一端２７が、支持ハンドル５の軸線に対して一方側（図２及び図３中、左側））に配置された他方の支持片１１のガイド孔１９から覗く移動体３の軸部２２に対して回転可能に軸止めされていると共に、一対の梃子部２６，２６の他端２８が支持ハンドル５の軸線に対して他方側（図２及び図３中、右側）に配置された操作ハンドル６を挟んでネジ止めされている。
【００３２】
また、一対の梃子部２６，２６の一端２７側には、支持ハンドル５に対して操作ハンドル６を開口する方向（図３中、矢印Ａ方向）に向かって鉤爪状に湾曲した第一引掛部２９が形成されており、一対の梃子部２６，２６の他端２８側には、支持ハンドル５に対して操作ハンドル６を開口する方向に向かって鉤爪状に湾曲した第二引掛部３０が形成されている。そして、第一引掛部２９には、第一支軸２０を引っ掛けることができる幅を有する引掛溝３１（図３参照）が形成されており、第二引掛部３０には、第二支軸２１を引っ掛けることができる幅を有する引掛溝３２（図２参照）が形成されており、両引掛部２９，３０の引掛溝３１，３２は、互いに向かい合うように形成されている。なお、一対の梃子部２６，２６は、支持ハンドル５に対して操作ハンドル６を開口する方向に位置する辺、即ち、両支軸２０，２１に接触する辺が両引掛部２９，３０間でへ字状に屈曲又は湾曲している。
【００３３】
次に、本実施の形態に係る手動工具１の動作を図５〜図１０に基づいて説明する。なお、図５〜図１０においては、両ハンドル５，６の一部が省略されていると共に、手動工具１の支持体２及び移動体３並びに被作用物が断面で示されている。
【００３４】
先ず、図５に示すように、支持ハンドル５に対して操作ハンドル６を最大角度まで開口すると、梃子部２６に設けられた第一引掛部２９の引掛溝３１から第一支軸２０が外れると共に、梃子部２６に設けられた第二引掛部３０の引掛溝３２に第二支軸２１が最も深く嵌り込んだ状態となる。そして、梃子部２６の移動体３に対する回転軸３３がガイド孔１９の支持空間７に対して最も遠い位置に移動し、これに伴って、移動体３の刃先２４が支持空間７から退出した状態となり、支持空間７に断面コ字状の被作用物３４を収納するスペースが形成されるため、被作用物３４のコ字状面を他方の支持片１１側に向けて支持空間７内に収納する。
【００３５】
次に、図５に示す状態から梃子体４の支点を第二支軸２１として、図６に示すように、支持ハンドル５に対して操作ハンドル６を最大角度まで開口した状態から所定角度まで閉口すると、梃子部２６に設けられた第一引掛部２９の引掛溝３１から外れていた第一支軸２０が該引掛溝３１に浅く嵌り込むと共に、梃子部２６に設けられた第二引掛部３０の引掛溝３２に最も深く嵌り込んだ第二支軸２１が該引掛溝３２に浅く嵌り込んだ状態となる。そして、梃子部２６の移動体３に対する回転軸３３が大きくガイド孔１９の支持空間７側に移動し、これに伴って、移動体３の刃先２４が支持空間７内を一方の支持片１０側に進出して刃先２４が被作用物３４に接触する手前に位置付けられる。この状態において、梃子体４の支点が第二支軸２１から第一支軸２０に切り換わる。
【００３６】
次に、図６に示す状態から梃子体４の支点を第一支軸２０として、図７に示すように、支持ハンドル５に対して操作ハンドル６を更に閉口すると、梃子部２６に設けられた第一引掛部２９の引掛溝３１に浅く嵌り込んでいた第一支軸２０が該引掛溝３１に深く嵌り込むと共に、梃子部２６に設けられた第二引掛部３０の引掛溝３２に浅く嵌り込んでいた第二支軸２１が該引掛溝３２から外れた状態となる。そして、梃子部２６の移動体３に対する回転軸３３が更にガイド孔１９の支持空間７側に移動し、これに伴って、移動体３の刃先２４が更に一方の支持片１０側に進出し、刃先２４が一方の支持片１０に設けられたダイス１７に嵌り込んで刃先２４の先端が被作用物３４に差し込まれる。
【００３７】
次に、図７に示す状態から梃子体４の支点を第一支軸２０として、図８に示すように、支持ハンドル５に対して操作ハンドル６を更に閉口すると、梃子部２６に設けられた第一引掛部２９の引掛溝３１に第一支軸２０が深く嵌り込んだ状態が維持されると共に、梃子部２６に設けられた第二引掛部３０の引掛溝３２から第二支軸２１が外れた状態が維持される。そして、梃子部２６の移動体３に対する回転軸３３が更にガイド孔１９の支持空間７側に移動して第一支軸３１に最も接近し、これに伴って、移動体３の刃先２４が更に一方の支持片１０側に進出し、刃先２４が一方の支持片１０に設けられたダイス１７に更に嵌り込んで刃先２４が被作用物３４を貫き切る直前に位置付けられる。
【００３８】
次に、図８に示す状態から梃子体４の支点を第一支軸２０として、図９に示すように、支持ハンドル５に対して操作ハンドル６を最小角度まで閉口すると、梃子部２６に設けられた第一引掛部２９の引掛溝３１に第一支軸２０が深く嵌り込んだ状態が維持されると共に、梃子部２６に設けられた第二引掛部３０の引掛溝３２から第二支軸２１が外れた状態が維持される。そして、梃子部２６の移動体３に対する回転軸３３がガイド孔１９の支持空間７に対して最も近い位置に移動し、これに伴って、移動体３の刃先２４が更に一方の支持片１０側に進出し、刃先２４が一方の支持片１０に設けられたダイス１７に更に嵌り込んで刃先２４が被作用物３４を貫く。
【００３９】
最後に、図１０に示すように、再び支持ハンドル５に対して操作ハンドル６を最大角度まで開口することにより、梃子部２６の移動体３に対する回転軸３３がガイド孔１９の支持空間７に対して最も遠い位置に移動し、これに伴って、移動体３の刃先部２３が被作用物３４から抜けた後、支持空間７から退出した状態となり、支持空間７から被作用物３４（作用物）を取り出すことができる。
【００４０】
なお、両ハンドル５，６の開閉時において梃子体４の支点が切り換わる際には、梃子体４における梃子部２６の支持ハンドル５に対して操作ハンドル６を開口する方向に位置する辺がへ字状に形成されているため、第一引掛部２９の引掛溝３１及び第二引掛部３０の引掛溝３２が両引掛部２９，３０の先端間に形成される開口３５（図６参照）に向かって僅かに傾いた状態となり、第一引掛部２９の引掛溝３１に対する第一支軸２０の出し入れ及び両引掛部３０の引掛溝３２に対する第二支軸２１の出し入れがスムーズに行なわれる。
【００４１】
次に、本実施の形態に係る手動工具１における両ハンドル５，６の開口角度を図１１に基づいて説明する。なお、図１１において、図５〜図１０に示す状態における梃子体４の移動体３に対する回転軸３３と両支軸２０，２１との位置関係を模式的に示したものであり、各状態の回転軸を点線にて示し、両支軸２０，２１を実線にて示している。
【００４２】
梃子体４が第二支軸２１を支点として回転する場合には、両ハンドル５，６の開口角度は、図５に示す状態における回転軸３３ａ及び第二支軸２１を結ぶ線分と、図６に示す状態における回転軸３３ｂ及び第二支軸２１を結ぶ線分との間の角度αと同一となる。よって、両ハンドル５，６を小さく開閉するだけで移動体３を大きく移動させることができる。
【００４３】
梃子体４が第一支軸２０を支点として回転する場合には、両ハンドル５，６の開口角度は、図６に示す状態における回転軸３３ｂ及び第一支軸２０を結ぶ線分と、図９に示す状態における回転軸３３ｃ及び第一支軸２０を結ぶ線分との間の角度βと同一となる。よって、両ハンドル５，６を大きく開閉しなければ移動体３を大きく移動させることができないが、梃子体４の支点となる第一支軸２０と梃子体４の力点となる回転軸３３との距離が短くなるため、操作ハンドル６に加える力を効率良く移動体３に伝えることができる。
【００４４】
なお、被作用物３４とは異なる厚さの被作用物に対して穴開け加工を施す際に、当該被作用物の手間で梃子体４の支点が第二支軸２１から第一支軸２０へ切り換わるように設定し直す場合には、移動体３の軸部２２に対する梃子部２６の軸止め位置を変更して設定する方法や、梃子部２６の支持ハンドル５に対して操作ハンドル６を開口する方向に位置するへ字状に形成された辺の屈曲角度又は湾曲角度を変更して設定する方法などがある。なお、後者の方法の場合には、屈曲角度又は湾曲角度を大きくすることによって梃子体４の支点が切り換わる位置を他方の支持片１１側に移動させることができ、また、屈曲角度又は湾曲角度を小さくすることによって梃子体４の支点が切り換わる位置を一方の支持片１０側に移動させることができる。
【００４５】
実施の形態２．
【００４６】
本実施の形態は前記実施の形態１に係る手動工具におけるダイスの変形例であり、図１２において、図１〜図１１と同一符号は同一又は相当部分を示しており、両ハンドルの一部が省略されていると共に、手動工具の支持体及び移動体並びに被作用物が断面で示されている。
【００４７】
本実施の形態に係る手動工具は、図１２に示すように、ダイス１７の他方の支持片１１と対向する面から支持空間７内へと突出部３６が突出している。
【００４８】
本実施の形態によれば、ダイス１７から突出部３６が突出しているため、断面コ字状の被作用物３４のコ字状面を一方の支持片１０側に向けて支持空間７内に収納することができ、これにより、被作用物３４に対してコ字状面の外側から内側へ向けて穴開け加工を施すことができる。
【００４９】
実施の形態３．
【００５０】
本実施の形態は前記実施の形態１に係る手動工具おける他方の支持片の変形例であり、図１３において、図１〜図１１と同一符号は同一又は相当部分を示しており、両ハンドルの一部が省略されていると共に、手動工具の支持体及び移動体並びに被作用物が断面で示されている。
【００５１】
本実施の形態に係る手動工具は、図１３に示すように、他方の支持片１１における円筒部１４の一方の支持片１０と対向する面に被作用物３４を支持することができる大きさの台板３７が設置されており、台板３７は、他方の支持片１１における支持空間７側の開口に差し込まれる円筒状の留め具３８によって他方の支持片１１に固定されている。
【００５２】
本実施の形態によれば、移動体３の刃先２４によって被作用物３４に穴を開口した後に該刃先部２３が容易に開口から抜き取ることができない場合に、支持ハンドル５に対して操作ハンドル６を開口すると、移動体３の刃先部２３が他方の支持片１１側に退出する途中で被作用物３４が台板３７に引っ掛かり、更に支持ハンドル５に対して操作ハンドル６を開口することにより、被作用物３４の開口から移動体３の刃先部２３を抜き取ることができる。
【００５３】
実施の形態４．
【００５４】
本実施の形態は前記実施の形態１に係る手動工具におけるダイス及び移動体の変形例であり、図１４において、図１〜図１１と同一符号は同一又は相当部分を示しており、両ハンドルの一部が省略されていると共に、手動工具の支持体及び移動体並びに被作用物が断面で示されている。
【００５５】
本実施の形態に係る手動工具は、図１４に示すように、被作用物３４に対して型押し加工を施すためのものであり、移動体３の軸部２２に対して刃体部２３に換えて押型部３９が取り付けられており、押型部３９の先端が押型面４０になっている。また、ダイス１７の他方の支持片１１に対向する面が押型受け面４１になっている。なお、押型面４０が押型受け面４１に最も深く嵌り込む際に、移動体３に対する梃子体４の回転軸３３が第一支軸２０に最接近するようになっている（図１４に示す状態）。
【００５６】
本実施の形態によれば、前記実施の形態１に係る手動工具と同様のハンドル操作を行なうことにより、被作用物に型押し加工を施して変形させることができる。
【００５７】
また、本実施の形態に係る手動工具は、押型面４０及び押型受け面４１を他の形状に形成することにより、かしめ加工を施すための手動工具に応用することもできる。例えば、ケーブルの先端にギボシ端子をかしめて取り付ける手動工具に応用する場合には、押型面４０及び押型受け面４１を被作用物となるギボシ端子のかしめ対象部分を変形させることができる形状に形成すればよい。
【００５８】
実施の形態５．
【００５９】
本実施の形態は前記実施の形態１に係る手動工具におけるダイス及び移動体の変形例であり、図１５において、図１〜図１１と同一符号は同一又は相当部分を示しており、両ハンドルの一部が省略されていると共に、手動工具の支持体及び移動体並びに被作用物が断面で示されている。
【００６０】
本実施の形態に係る手動工具は、図１５に示すように、被作用物３４に形成された配線を通すための開口４２に通された配線が該開口４２の周縁で切断されないように該開口４２に対して周縁を覆う取付物４３を嵌め込むためのものであり、取付物４３は、図１６に示すように、先細り状になった先端部を有する円筒部材であり、被作用物３４の開口４２の周縁が嵌り込む溝４４が周面に形成されている。
【００６１】
本実施の形態に係る手動工具は、図１５に示すように、ダイス１７の他方の支持片１１と対向する面から支持空間７内へと突出部４４が突出しており、また、移動体３の軸部２２に対して刃体部２３に換えて取付物４３を保持するための保持部４５が取り付けられおり、保持部４５の先端が取付部４３の中空へ嵌り込む径を有する保持端４６になっている。なお、被作用物３４の開口４２へ嵌め込まれる取付物４３の先細り状の先端部において最も大径になった部分が該開口４２を通過する際に、移動体３に対する梃子体４の回転軸３３が第一支軸２０に最接近するようになっている（図１５に示す状態）。
【００６２】
本実施の形態によれば、前記実施の形態１に係る手動工具と同様のハンドル操作を行なうことにより、被作用物に形成された配線を通すための開口に対して取付物を取り付けることができる。
【００６３】
実施の形態６．
【００６４】
本実施の形態は前記実施の形態１に係る手動工具における一方の支持片及び移動体の変形例であり、図１７において、図１〜図１１と同一符号は同一又は相当部分を示しており、両ハンドルの一部が省略されていると共に、手動工具の支持体及び移動体並びに被作用物が断面で示されている。
【００６５】
本実施の形態に係る手動工具は、図１７に示すように、被作用物３４を挟み持つためのものであり、移動体３の先端が一方の挟持端４７となっており、一方の支持片１０から他方の支持片１１に取り付けられた移動体３に向かって突出する棒状の挟持部４８の先端が他方の挟持端４９となっている。なお、両挟持端４７，４９で被作用物３４が挟まれた際に、移動体３に対する梃子体４の回転軸３３が第一支軸２０に最接近するようになっている（図１７に示す状態）。
【００６６】
本実施の形態によれば、前記実施の形態１に係る手動工具と同様のハンドル操作を行なうことにより、被作用物を挟み持つことができる。
【００６７】
なお、前記各実施の形態においては、梃子体を構成する一対の梃子部で支持体を両側から挟み込むように配置した形態を説明したが、梃子体及び支持体の形態はこれに限定されず、例えば、梃子体を構成する梃子部を支持体の片側だけに配置した形態でもよく、この場合には、支持体の片側だけに一対の支軸を設ければよい。さらに、支持体を縦方向に二分割し、二分割された支持体の間に梃子体を構成する梃子部を配置した形態でもよく、この場合には、二分割された支持体の間に一対の支軸を設ければよい。
【００６８】
また、前記各実施の形態においては、梃子体の梃子部における支持ハンドルに対して操作ハンドルを開口する方向に位置する辺をへ字状に形成したが、直線状に形成してもよい。
【００６９】
また、前記各実施の形態においては、建築用の下地材に使用されることが多い金属製の角材を被作用物として例示しているが、本発明に係る手動工具は、他の用途に使用される金属製の角材に対しても使用することができる。即ち、本発明に係る手動工具によって作用を施す被作用物の用途は特に限定されない。さらに、被作用物の断面形状も断面コ字状に限定されることなく、例えば、実施の形態２及び５に係る手動工具のように突出部を有するダイスを採用した場合には、断面H字状の被作用物に対しても加工や挟持などの作用を施すことができる。
【産業上の利用可能性】
【００７０】
本発明は、前記各実施の形態において例示した穴開け加工、型押し加工、かしめ加工のように被作用物を挟んで加工を施す手動工具であれば、他の加工を施す手動工具へも応用することができる。
【符号の説明】
【００７１】
１  手動工具
２  支持体
３  移動体
４  梃子体
５  支持ハンドル
６  操作ハンドル
７  支持空間
８  支持部
９  偏平部
１０  一方の支持片
１１  他方の支持片
１２  突起
１３  貫通孔
１４  円筒部
１５  ガイド部
１６  貫通孔
１７  ダイス
１８  偏平面
１９  ガイド孔
２０  第一支軸
２１  第二支軸
２２  軸部
２３  刃先部
２４  刃先
２５  嵌合凹部
２６  梃子部
２７  一端
２８  他端
２９  第一引掛部
３０  第二引掛部
３１  引掛溝
３２  引掛溝
３３  回転軸
３４  被作用物
３５  開口
３６  突出部
３７  台板
３８  留め具
３９  押型部
４０  押型面
４１  押型受け面
４２  開口
４３  取付物
４４  溝
４５  保持部
４６  保持端
４７  一方の挟持端
４８  挟持部
４９  他方の挟持端
１００  金属製角材
１０１  側壁
１０２  底壁
【図１】
2014180697.tif 000003
【図２】
2014180697.tif 000004
【図３】
2014180697.tif 000005
【図４】
2014180697.tif 000006
【図５】
2014180697.tif 000007
【図６】
2014180697.tif 000008
【図７】
2014180697.tif 000009
【図８】
2014180697.tif 000010
【図９】
2014180697.tif 000011
【図１０】
2014180697.tif 000012
【図１１】
2014180697.tif 000013
【図１２】
2014180697.tif 000014
【図１３】
2014180697.tif 000015
【図１４】
2014180697.tif 000016
【図１５】
2014180697.tif 000017
【図１６】
2014180697.tif 000018
【図１７】
2014180697.tif 000019
【図１８】
2014180697.tif 000020